【手続補正書】
【提出日】平成19年11月8日(2007.11.8)
【手続補正１】
【補正対象書類名】特許請求の範囲
【補正対象項目名】全文
【補正方法】変更
【補正の内容】
【特許請求の範囲】
【請求項１】
表示放電を行う為の少なくとも一対の電極と、
放電ガスと、
該放電ガスの放電で発生する紫外線による励起で可視光を発光する蛍光体膜とを少なくとも備える放電セルを、対向する一対の第１の基板と第２の基板の間に複数個形成し、
表示用の可視光が出射する側の前記第１の基板の内側に、該第１の基板への外光が入射する側に配設された光吸収層と，前記蛍光体膜側に配設された光反射層とが積層されてなる積層部材が、前記放電セルの各々の平面形状内に分散して配設されているプラズマディスプレイパネルにおいて、
前記蛍光体膜の、前記放電の発生する空間とは反対側に可視光の反射層が配設されていることを特徴とするプラズマディスプレイパネル。
【請求項２】
前記放電セルの各々の平面形状内で前記積層部材が連続して形成されており、かつ前記放電セルの各々の平面形状内で前記積層部材に光を透過させる複数の開口が設けられていることを特徴とする請求項１記載のプラズマディスプレイパネル。
【請求項３】
プラズマディスプレイパネルと、該プラズマディスプレイパネルを駆動する手段とを少なくとも備えたプラズマディスプレイ装置において、
上記プラズマディスプレイパネルは、表示用可視光を出射する前面基板と複数の放電セルとを備え、
上記複数の放電セルの各々は、該放電セルに電圧を印加するための電極と、放電を形成するための放電ガスと、上記放電で可視光を発生する蛍光体膜と、この蛍光体膜の、前記放電の発生する空間とは反対側に配設された可視光の反射層と、
少なくとも光吸収層と光反射層とを積層して形成された積層部材とを少なくとも備え、
前記前面基板は、上記放電を発生させる放電空間を形成，気密化する構成手段の一部を構成しており、
ここで、上記前面基板を介して上記放電空間と反対側に存在する空間を視野空間とし、
上記放電空間と接する側の上記前面基板の表面を、上記複数の放電セルの全体に拡張して考えた面を表示面とし、
上記可視光の内で、上記表示面を通って上記視野空間に出射するものが表示用可視光として働くものとし、
上記積層部材を含む平面を考え、前記放電空間を挟んで該平面と対向する該放電空間の境界をなす面を放電空間底面としたとき、上記表示面と垂直方向に測った，該放電空間底面と上記積層部材の前記放電空間側表面との距離の平均をＢＭ高さhdとし、
前記積層部材は、上記放電空間内，上記放電空間と上記前面基板との間，又は上記前面基板に配設され、上記光吸収層は前記視野空間側に，上記光反射層は前記放電空間側に配設されているものとし、
上記表示面において上記積層部材の存在する領域をＢＭ領域とし、
上記表示面において上記放電空間から前記可視光が前記表示面を通って前記視野空間に射出しうる領域を透過領域とし、
上記ＢＭ領域内の任意の点Ａから上記透過領域までの最短距離の、点Ａに関する平均値を積層部材のサイズ長Laveとしたとき、
Lave/hd < 5であることを特徴とするプラズマディスプレイ装置。
【請求項４】
表示放電を行う為の少なくとも一対の電極と、放電ガスと、該放電ガスの放電で発生する紫外線による励起で可視光を発光する蛍光体膜とを少なくとも備える放電セルを、対向する一対の第１の基板と第２の基板の間に複数個形成したプラズマディスプレイパネルにおいて、
前記蛍光体膜の、前記放電の発生する空間とは反対側に、白色酸化物粉体を含んだガラスからなり、１０マイクロメートル以上，２０マイクロメートル以下の厚さの反射層が設けられていることを特徴とするプラズマディスプレイパネル。
【請求項５】
前記白色酸化物粉体が、酸化チタン及び酸化亜鉛の何れかであることを特徴とする請求項４記載のプラズマディスプレイパネル。
【請求項６】
上記反射層において、前記ガラスの組成比が、４０体積％以上６０体積％以下の範囲にあることを特徴とする請求項４に記載のプラズマディスプレイパネル。
【請求項７】
請求項４記載のプラズマディスプレイパネルにおいて、前記反射層の上面に形成される前記蛍光体膜の膜厚が、８から３５マイクロメートルの範囲にあることを特徴とするプラズマディスプレイパネル。
【請求項８】
請求項４記載のプラズマディスプレイパネルにおいて、前記反射層の代わりに蛍光体の下地を可視光の反射層として機能するものを使用することを特徴とするプラズマディスプレイパネル。
【請求項９】
対向配置された前面基板と背面基板の各々の内面側に少なくとも一つずつ形成されて、対向表示放電を行う２個の電極と、該２個の電極を少なくとも部分的に覆う誘電体膜と、放電ガスと、該放電ガスの放電で発生する紫外線による励起で可視光を発光する蛍光体膜とを、各々が少なくとも備えた複数個の放電セルと、該複数個の放電セルの間を区画する隔壁層とを備え、該隔壁層は、前記前面基板及び背面基板とは別体のシート状に形成されており、該複数個の放電セルで各々の放電空間を形成する複数の開口が設けられ、該複数の開口の壁面には、前記蛍光体膜が塗布されて、前記前面基板及び背面基板の間に挟持されており、
前記複数個の放電セルの一つによって占められる空間を、前記前面基板へ投影した時に得られる面積をS1とし、
該放電セルの一つからの前記可視光を前記前面基板の外に出射する、前記前面基板における窓部の面積をS1−S2としたとき、0.1 ≦ (S1−S2)／S1 ≦ 0.4を満たし、
前記放電ガスのガス圧力ｐと前記２個の電極の間の距離ｄの積pdが、100 Torr × mm≦pd ≦ 400 Torr × mmを満たし、且つｄ ≧ 0.2 mmを満たすプラズマディスプレイパネルにおいて、
前記蛍光体膜の、前記放電の発生する空間とは反対側に可視光の反射層とが配設されていることを特徴とするプラズマディスプレイパネル。
【請求項１０】
請求項９に記載のプラズマディスプレイパネルにおいて、表示放電を維持するための、前記対向表示放電を行う2個の電極に印加される実効的電圧が、300V以下であることを特徴とするプラズマディスプレイパネル。
【請求項１１】
請求項９に記載のプラズマディスプレイパネルにおいて、前記放電ガスがXeガスを含み、前記放電ガスの体積粒子（原子、分子）密度をngとし、前記Xeガスの体積粒子密度をnXeとし、前記放電ガスのXe組成比aXeをaXe = nXe/ngとして、前記放電ガスのXe組成比aXeが１２％以上、３０％以下であることを特徴とするプラズマディスプレイパネル。
【手続補正２】
【補正対象書類名】明細書
【補正対象項目名】００１５
【補正方法】変更
【補正の内容】
【００１５】
本書において開示される発明のうち、代表的なものの概要を説明すれば、下記の通りである。
（１）  表示放電を行う為の少なくとも一対の電極と、放電ガスと、該放電ガスの放電で発生する紫外線による励起で可視光を発光する蛍光体膜とを少なくとも備える放電セルを、対向する一対の第１の基板と第２の基板の間に複数個形成し、表示用の可視光が出射する側の前記第１の基板の内側に、該第１の基板への外光が入射する側に配設された光吸収層と，前記蛍光体膜側に配設された光反射層とが積層されてなる積層部材が、前記放電セルの各々の平面形状内に分散して配設されているプラズマディスプレイパネルにおいて、前記蛍光体膜の、前記放電の発生する空間とは反対側に可視光の反射層が配設されていることを特徴とするプラズマディスプレイパネル。
（２）  （１）に記載のプラズマディスプレイパネルにおいて、前記放電セルの各々の平面形状内で前記積層部材が連続して形成されており、かつ前記放電セルの各々の平面形状内で前記積層部材に光を透過させる複数の開口が設けられていることを特徴とするプラズマディスプレイパネル。
（３）  プラズマディスプレイパネルと、該プラズマディスプレイパネルを駆動する手段とを少なくとも備えたプラズマディスプレイ装置において、上記プラズマディスプレイパネルは、表示用可視光を出射する前面基板と複数の放電セルとを備え、上記複数の放電セルの各々は、該放電セルに電圧を印加するための電極と、放電を形成するための放電ガスと、上記放電で可視光を発生する蛍光体膜と、この蛍光体膜の、前記放電の発生する空間とは反対側に配設された可視光の反射層と、少なくとも光吸収層と光反射層とを積層して形成された積層部材とを少なくとも備え、前記前面基板は、上記放電を発生させる放電空間を形成，気密化する構成手段の一部を構成しており、ここで、上記前面基板を介して上記放電空間と反対側に存在する空間を視野空間とし、上記放電空間と接する側の上記前面基板の表面を、上記複数の放電セルの全体に拡張して考えた面を表示面とし、上記可視光の内で、上記表示面を通って上記視野空間に出射するものが表示用可視光として働くものとし、上記積層部材を含む平面を考え、前記放電空間を挟んで該平面と対向する該放電空間の境界をなす面を放電空間底面としたとき、上記表示面と垂直方向に測った，該放電空間底面と上記積層部材の前記放電空間側表面との距離の平均をＢＭ高さhdとし、前記積層部材は、上記放電空間内，上記放電空間と上記前面基板との間，又は上記前面基板に配設され、上記光吸収層は前記視野空間側に，上記光反射層は前記放電空間側に配設されているものとし、上記表示面において上記積層部材の存在する領域をＢＭ領域とし、上記表示面において上記放電空間から前記可視光が前記表示面を通って前記視野空間に射出しうる領域を透過領域とし、上記ＢＭ領域内の任意の点Ａから上記透過領域までの最短距離の、点Ａに関する平均値を積層部材のサイズ長Laveとしたとき、Lave/hd < 5であることを特徴とするプラズマディスプレイ装置。
（４）  表示放電を行う為の少なくとも一対の電極と、放電ガスと、該放電ガスの放電で発生する紫外線による励起で可視光を発光する蛍光体膜とを少なくとも備える放電セルを、対向する一対の第１の基板と第２の基板の間に複数個形成したプラズマディスプレイパネルにおいて、前記蛍光体膜の、前記放電の発生する空間とは反対側に、白色酸化物粉体を含んだガラスからなり、１０マイクロメートル以上，２０マイクロメートル以下の厚さの反射層が設けられていることを特徴とするプラズマディスプレイパネル。
（５）  （４）に記載のプラズマディスプレイパネルにおいて、前記白色酸化物粉体が、酸化チタン及び酸化亜鉛の何れかであることを特徴とするプラズマディスプレイパネル。
（６）  （４）に記載のプラズマディスプレイパネルにおいて、上記反射層において、前記ガラスの組成比が、４０体積％以上６０体積％以下の範囲にあることを特徴とするプラズマディスプレイパネル。
（７）  （４）に記載のプラズマディスプレイパネルにおいて、前記反射層の上面に形成される前記蛍光体膜の膜厚が、８から３５マイクロメートルの範囲にあることを特徴とするプラズマディスプレイパネル。
（８）  （４）に記載のプラズマディスプレイパネルにおいて、前記反射層の代わりに蛍光体の下地を可視光の反射層として機能するものを使用することを特徴とするプラズマディスプレイパネル。
（９）  対向配置された前面基板と背面基板の各々の内面側に少なくとも一つずつ形成されて、対向表示放電を行う２個の電極と、該２個の電極を少なくとも部分的に覆う誘電体膜と、放電ガスと、該放電ガスの放電で発生する紫外線による励起で可視光を発光する蛍光体膜とを、各々が少なくとも備えた複数個の放電セルと、該複数個の放電セルの間を区画する隔壁層とを備え、隔壁層は、前記前面基板及び背面基板とは別体のシート状に形成されており、該複数個の放電セルで各々の放電空間を形成する複数の開口が設けられ、該複数の開口の壁面には、前記蛍光体膜が塗布されて、前記前面基板及び背面基板の間に挟持されており、前記複数個の放電セルの一つによって占められる空間を、前記前面基板へ投影した時に得られる面積をS1とし、該放電セルの一つからの前記可視光を前記前面基板の外に出射する、前記前面基板における窓部の面積をS1−S2としたとき、0.1 ≦ (S1−S2)／S1 ≦ 0.4を満たし、前記放電ガスのガス圧力ｐと前記２個の電極の間の距離ｄの積pdが、100 Torr × mm≦  pd ≦ 400 Torr × mmを満たし、且つｄ ≧ 0.2 mmを満たすプラズマディスプレイパネルにおいて、前記蛍光体膜の、前記放電の発生する空間とは反対側に可視光の反射層とが配設されていることを特徴とするプラズマディスプレイパネル。
（１０）  （９）に記載のプラズマディスプレイパネルにおいて、表示放電を維持するための、前記対向表示放電を行う2個の電極に印加される実効的電圧が、300V以下であることを特徴とするプラズマディスプレイパネル。
（１１）  （９）に記載のプラズマディスプレイパネルにおいて、前記放電ガスがXeガスを含み、前記放電ガスの体積粒子（原子、分子）密度をngとし、前記Xeガスの体積粒子密度をnXeとし、前記放電ガスのXe組成比aXeをaXe = nXe/ngとして、前記放電ガスのXe組成比aXeが１２％以上、３０％以下であることを特徴とするプラズマディスプレイパネル。
【手続補正３】
【補正対象書類名】明細書
【補正対象項目名】００８１
【補正方法】変更
【補正の内容】
【００８１】
図４１は、以上説明した本発明の実施例で示したPDPを用いたプラズマディスプレイ装置およびこれに映像源を接続した画像表示システムを示す一例である。駆動電源（駆動回路とも呼ぶ）は，映像源からの表示画面の信号を受取り，これをPDPの駆動信号に変換してPDPを駆動する。
本書の「課題を解決するための手段」の項においては、本発明の代表的なものの概要を説明したが、それ以外のものの幾つかの概要を下記する。
（１）  表示放電を行う為の少なくとも一対の電極と、放電ガスと、該放電ガスの放電で発生する紫外線による励起で可視光を発光する蛍光体膜とを少なくとも備える放電セルを、対向する一対の第１の基板と第２の基板の間に複数個形成し、表示用の可視光が出射する側の前記第１の基板の内側に、該第１の基板への外光が入射する側に配設された光吸収層と，前記蛍光体膜側に配設された光反射層とが積層されてなる積層部材が、前記放電セルの各々の平面形状内に分散して配設されているプラズマディスプレイパネルにおいて、前記蛍光体膜の、前記放電の発生する空間とは反対側に可視光の反射層が配設されていることを特徴とするプラズマディスプレイパネルにおいて、
（ａ）  前記放電セルの各々の平面形状内で前記積層部材が複数個互いに分離して形成されているもの、または
（ｂ）  前記放電セルの各々の平面形状内で前記積層部材が連続して形成されており、かつ前記放電セルの各々の平面形状内で前記積層部材に光を透過させる複数の開口が設けられ、かつ前記積層部材が、網状、はしご状の何れかに形成されているもの、または
（ｃ）  前記蛍光体膜及び前記反射層の中の少なくとも一方に、該蛍光体膜の発光色とほぼ同等の色を有する顔料が添加されているもの。
（２）  プラズマディスプレイパネルと、該プラズマディスプレイパネルを駆動する手段とを少なくとも備えたプラズマディスプレイ装置において、上記プラズマディスプレイパネルは、表示用可視光を出射する前面基板と複数の放電セルとを備え、上記複数の放電セルの各々は、該放電セルに電圧を印加するための電極と、放電を形成するための放電ガスと、上記放電で可視光を発生する蛍光体膜と、この蛍光体膜の、前記放電の発生する空間とは反対側に配設された可視光の反射層と、少なくとも光吸収層と光反射層とを積層して形成された積層部材とを少なくとも備え、前記前面基板は、上記放電を発生させる放電空間を形成，気密化する構成手段の一部を構成しており、ここで、上記前面基板を介して上記放電空間と反対側に存在する空間を視野空間とし、上記放電空間と接する側の上記前面基板の表面を、上記複数の放電セルの全体に拡張して考えた面を表示面とし、上記可視光の内で、上記表示面を通って上記視野空間に出射するものが表示用可視光として働くものとし、上記積層部材を含む平面を考え、前記放電空間を挟んで該平面と対向する該放電空間の境界をなす面を放電空間底面としたとき、上記表示面と垂直方向に測った，該放電空間底面と上記積層部材の前記放電空間側表面との距離の平均をＢＭ高さhdとし、前記積層部材は、上記放電空間内，上記放電空間と上記前面基板との間，又は上記前面基板に配設され、上記光吸収層は前記視野空間側に，上記光反射層は前記放電空間側に配設されているものとし、上記表示面において上記積層部材の存在する領域をＢＭ領域とし、上記表示面において上記放電空間から前記可視光が前記表示面を通って前記視野空間に射出しうる領域を透過領域とし、上記ＢＭ領域内の任意の点Ａから上記透過領域までの最短距離の、点Ａに関する平均値を積層部材のサイズ長Laveとしたとき、Lave/hd < 5であることを特徴とするプラズマディスプレイ装置において、
（a）  上記積層部材が島状、網目状、はしご状、樹枝状のいずれかであるもの、または
（b）  上記積層部材が、上記前面基板に配設されているもの、または
（c）  前記蛍光体膜及び前記反射層の中の少なくとも一方に、該蛍光体膜の発光色とほぼ同等の色を有する顔料が添加されているもの。
（３）  表示放電を行う為の少なくとも一対の電極と、放電ガスと、該放電ガスの放電で発生する紫外線による励起で可視光を発光する蛍光体膜とを少なくとも備える放電セルを、対向する一対の第１の基板と第２の基板の間に複数個形成したプラズマディスプレイパネルにおいて、前記蛍光体膜の、前記放電の発生する空間とは反対側に、白色酸化物粉体を含んだガラスからなり、１０マイクロメートル以上，２０マイクロメートル以下の厚さの反射層が設けられていることを特徴とするプラズマディスプレイパネルにおいて、前記蛍光体膜及び前記反射層の中の少なくとも一方に、該蛍光体膜の発光色とほぼ同等の色を有する顔料が添加されているもの。
（４）  対向配置された前面基板と背面基板の各々の内面側に少なくとも一つずつ形成されて、対向表示放電を行う２個の電極と、該２個の電極を少なくとも部分的に覆う誘電体膜と、放電ガスと、該放電ガスの放電で発生する紫外線による励起で可視光を発光する蛍光体膜とを、各々が少なくとも備えた複数個の放電セルと、該複数個の放電セルの間を区画する隔壁層とを備え、隔壁層は、前記前面基板及び背面基板とは別体のシート状に形成されており、該複数個の放電セルで各々の放電空間を形成する複数の開口が設けられ、該複数の開口の壁面には、前記蛍光体膜が塗布されて、前記前面基板及び背面基板の間に挟持されており、前記複数個の放電セルの一つによって占められる空間を、前記前面基板へ投影した時に得られる面積をS1とし、該放電セルの一つからの前記可視光を前記前面基板の外に出射する、前記前面基板における窓部の面積をS1−S2としたとき、0.1 ≦ (S1−S2)／S1 ≦ 0.4を満たし、前記放電ガスのガス圧力ｐと前記２個の電極の間の距離ｄの積pdが、100 Torr × mm≦  pd ≦ 400 Torr × mmを満たし、且つｄ ≧ 0.2 mmを満たすプラズマディスプレイパネルにおいて、前記蛍光体膜の、前記放電の発生する空間とは反対側に可視光の反射層とが配設されていることを特徴とするプラズマディスプレイパネルにおいて、
（ａ）このプラズマディスプレイパネルを用いた画像表示システム、または
（ｂ）前記蛍光体膜及び前記反射層の中の少なくとも一方に、該蛍光体膜の発光色とほぼ同等の色を有する顔料が添加されてもの。